(57)【要約】【課題】制御光を増加させるとともに、射出成形時に欠けることのない反射部材を有する照明器具を提供する。【解決手段】ＬＥＤ光源３２から発せられた光は、照射方向前方に設けられている反射部材３４の反射面３４３により、所定の方向へ照射される。隣接する反射面３４３の照射方向先端部は互いに重なるように設けられており、重なり部３４４に、照射方向前方に対面する円弧面３４５を設けた。このため、反射部材３４の射出成形時に、重なり部３４４が欠けるのを防止できるとともに、反射面３４３の高さＨ１および開口部３４２の直径Ｄ１を大きく取ることができ、反射面３４３によって制御可能な制御光を増加できる。また、円弧面３４５の最底部３４５Ａが、反射部材３４の先端面３４６に対してＬＥＤ光源３２側に凹状となっているので、重なり部３４４を幅広で設けることができる。【選択図】図４
2013062177.tif 000002
【特許請求の範囲】
【請求項１】
複数のＬＥＤ光源と、
前記ＬＥＤ光源の前方に各々設けられて当該ＬＥＤ光源からの光を反射する反射面を複数備えた反射部材と、を有し、
隣接する前記反射面同士の重なり部に、照射方向前方に対面する円弧面を設け、
前記円弧面の最底部が、前記反射部材の先端面に対して前記ＬＥＤ光源側に凹状である照明器具。
【請求項２】
複数のＬＥＤ光源と、
前記ＬＥＤ光源の前方に各々設けられて当該ＬＥＤ光源からの光を反射する反射面を複数備えた反射部材と、を有し、
隣接する前記反射面同士の重なり部に、照射方向前方に対面する円弧面を設け、
前記反射部材の先端面が、前記円弧面の最底部よりも照射方向前方に突出している照明器具。
【請求項３】
請求項１または請求項２に記載の照明器具において、
前記円弧面の幅が、射出成形可能な幅である照明器具。
【発明の詳細な説明】
【技術分野】
【０００１】
本発明は、複数のＬＥＤ光源の前方に各々反射面を有する照明器具に関するものである。
【背景技術】
【０００２】
従来より、複数のＬＥＤ光源を有し、反射面を有する反射部材によって光を所定方向へ照射する照明器具が知られている（例えば、特許文献１参照）。
図６に示すように、特許文献１に記載の照明器具では、例えばダウンライト１００を採用することができる。ダウンライト１００は、例えば天井１０１に設けられている埋込穴に埋め込み設置される。ダウンライト１００は、ＬＥＤ光源１０３を収容する装置本体１０２を有する。装置本体１０２は、照射方向と反対側に、ＬＥＤ光源１０３が発する熱を外部に放出する複数の放熱フィン１０４を有する。
【０００３】
ＬＥＤ光源１０３の照射方向前方には反射部材１０５が設けられており、各ＬＥＤ光源１０３に対応して反射面１０６が各々設けられている。ＬＥＤ光源１０３は反射面１０６の上端に位置し、反射面１０６の下端は反射部材１０５において円形に開口（開口部１０５Ａ、図７（Ａ）参照）している。すなわち、反射面１０６は、略円錐台形状をしている。
これにより、ＬＥＤ光源１０３から発せられた光は、反射面１０６で反射して、所定の方向へ照射される。
【０００４】
一般に、ＬＥＤ光源１０３から発せられた光は、反射面１０６で制御されるが、所望の配光形状をより完全に達成するには、角度θ（図７（Ｂ）参照）の大きさ（すなわち、反射面１０６の高さＨ、図７（Ｂ）参照）を大きくするのが望ましい。
図７（Ａ）に示すように、上述したダウンライト１００では、複数のＬＥＤ光源１０３が近接して配置されているため、反射面１０６の高さＨ（図７（Ｂ）参照）を大きくすると、反射部材１０５において隣接する開口部１０５Ａ同士が重なる。すなわち、図７（Ｂ）にも示すように、隣接する略円錐台形状の反射面１０６が重なるため、重なり部には陵部１０７が形成される。
【０００５】
これにより、隣接する反射面１０６の中心距離Ｌが同じであっても、反射面１０６の高さＨおよび開口部１０５Ａの直径を大きく取ることができ、反射面１０６によって制御可能な制御光が多くなるという効果がある。
【先行技術文献】
【特許文献】
【０００６】
【特許文献１】特開２００９−６４６３７号公報（第１図）
【発明の概要】
【発明が解決しようとする課題】
【０００７】
しかしながら、前述したダウンライト１００のような従来の照明器具においては、図７（Ｃ）に示すように、反射部材１０５の各陵部１０７の先端が下方に向かって尖っているので、射出成形時に欠けやすいという問題がある。
【０００８】
本発明は、従来の問題を解決するためになされたもので、制御光を増加させるとともに、射出成形時に欠けることのない反射部材を有する照明器具を提供することを目的とする。
【課題を解決するための手段】
【０００９】
本発明の照明器具は、複数のＬＥＤ光源と、前記ＬＥＤ光源の前方に各々設けられて当該ＬＥＤ光源からの光を反射する反射面を複数備えた反射部材と、を有し、隣接する前記反射面同士の重なり部に、照射方向前方に対面する円弧面を設け、前記円弧面の最底部が、前記反射部材の先端面に対して前記ＬＥＤ光源側に凹状であるものである。
【００１０】
また、本発明の照明器具は、複数のＬＥＤ光源と、前記ＬＥＤ光源の前方に各々設けられて当該ＬＥＤ光源からの光を反射する反射面を複数備えた反射部材と、を有し、隣接する前記反射面同士の重なり部に、照射方向前方に対面する円弧面を設け、前記反射部材の先端面が、前記円弧面の最底部よりも照射方向前方に突出しているものである。
【００１１】
さらに、本発明の照明器具は、前記円弧面の幅が、射出成形可能な幅であるものである。
【発明の効果】
【００１２】
本発明は、隣接する反射面の照射方向先端部が互いに重なるように設けられており、重なり部に、照射方向前方に対面する円弧面を設けたので、反射部材の射出成形時に、重なり部が欠けるのを防止できる。また、反射面の高さおよび開口部の直径を大きく取ることができ、反射面によって制御可能な制御光を増加できるという効果を有する照明器具を提供できる。
【図面の簡単な説明】
【００１３】
【図１】（Ａ）は本発明に係る実施形態の照明器具の斜視図であり、（Ｂ）は（Ａ）中Ｂ−Ｂ位置の断面図
【図２】灯具の分解斜視図
【図３】（Ａ）は灯具本体の前面の底面図であり、（Ｂ）は反射部材の底面図
【図４】図３（Ｂ）中ＩＶ部分の斜視図
【図５】（Ａ）は図４中矢印Ｖ方向から見た底面図であり、（Ｂ）は（Ａ）中Ｂ−Ｂ位置の断面図であり、（Ｃ）は（Ｂ）中Ｃ部の拡大図
【図６】従来の照明器具の断面図
【図７】（Ａ）は図６において矢印ＶＩＩ方向から見た斜視図であり、（Ｂ）は（Ａ）中Ｂ−Ｂ位置の断面図であり、（Ｃ）は（Ｂ）中Ｃ部分の拡大図
【発明を実施するための形態】
【００１４】
以下、本発明に係る実施形態の照明器具について、図面を用いて説明する。
図１（Ａ）および（Ｂ）に示すように、本発明に係る実施形態の照明器具１０は、例えば、天井１１に設けられている埋込穴１２に取り付けて、下方の所定範囲を照明するダウンライトとすることができる。
【００１５】
図１（Ａ）および図１（Ｂ）に示すように、照明器具１０は、天井１１に取り付けられる枠体２０と、枠体２０に支持される灯具３０を有する。
枠体２０は、天井１１の埋込穴１２に嵌め込まれる円筒形状の枠体本体２１を有し、枠体本体２１の下端には、天井１１の下面に当接する円形リング板状の鍔部２２を有する。枠体本体２１には、枠体２０を天井１１に取り付けるための取付ばね２３が、所定間隔で複数個（例えば、３個）外側へ突出して設けられている。取付ばね２３は、常時下方（図１（Ｂ）中矢印Ｃ方向）へ付勢されている。また、取付ばね２３は、天井１１の厚さに応じて、上下方向に位置決め可能に設けられている。
従って、鍔部２２と取付ばね２３との間に天井１１を挟むことにより、枠体２０を天井１１に固定する。
【００１６】
なお、枠体２０の上端には、後述する灯具本体３１を取り付けるために、円形リング板状の天板２１１が内側に折曲形成されている。
また、枠体本体２１の内部には、鍔部２２の上面に支持されるカップ状の反射パネル２４が設けられており、上部に設けられている開口に灯具３０が位置する。
【００１７】
図２に示すように、灯具３０は、多数の放熱フィン３１１を上下方向に有する灯具本体３１を有する。灯具本体３１の前面（下面）３１２には、ＬＥＤチップを基板上に実装したＬＥＤ光源３２が、固定ばね３３により着脱可能に取り付けられる。ＬＥＤ光源３２は、図３（Ａ）に示すように、前面３１２の中心を中心とする半径φＡの円上および半径φＢの円上に配置されている。
【００１８】
図２および図３（Ａ）に示すように、灯具本体３１の前面３１２には、外側へ突出する取付部３１３が複数個（ここでは、例えば３個）設けられている。また、灯具本体３１には、灯具本体３１を枠体２０に取り付けるために、取付金具３１４が外側に突出して設けられている。なお、ＬＥＤ光源３２は、電源装置（図示省略）に電気的に接続されている。
従って、電源装置（図示省略）からＬＥＤ光源３２に点灯電力を供給することにより、ＬＥＤ光源３２が発光する。この際、ＬＥＤ光源３２が発した熱は、灯具本体３１の前面３１２から放熱フィン３１１に伝達されて放熱される。
【００１９】
図２および図３（Ｂ）に示すように、灯具本体３１の前面３１２の照射方向前方には、ＬＥＤ光源３２からの光を所定の方向および範囲に照射するための反射部材３４が設けられる。反射部材３４の外周部には、灯具本体３１の前面３１２に設けられている取付部３１３に対応して、取付ブラケット３４１が外側に突出して複数個（ここでは、３個）設けられている。
なお、反射部材３４については、詳細を後述する。
【００２０】
図２に示すように、反射部材３４の照射方向前方には、透光性のパネル３５が設けられる。パネル３５は円板状をしており、照射方向前面における外周縁部には、パッキン３６が設けられている。
パネル３５の照射方向前方には、円形リング板状の押え板３７が設けられる。押え板３７には、灯具本体３１の前面３１２に設けられている取付部３１３および反射部材３４の取付ブラケット３４１に対応して、固定部３７１が設けられている。
【００２１】
従って、押え板３７の固定部３７１および反射部材３４の取付ブラケット３４１を、取付ねじ３８で灯具本体３１の前面３１２の取付部３１３に締結することにより、灯具３０を組み立てる。
このとき、パネル３５は、パッキン３６を介して押え板３７と反射部材３４との間に挟持される。
【００２２】
図３（Ｂ）に示すように、反射部材３４は、円板状をしており、ＬＥＤ光源３２の照射方向前方に対応する部分には、照射用開口部３４２が設けられている。すなわち、照射用開口部３４２は、反射部材３４の中心を中心とする半径φＡの円上および半径φＢの円上に配置されている。
【００２３】
図４および図５（Ａ）乃至（Ｃ）には、図３（Ｂ）におけるＩＶ部分、すなわち、反射部材３４の先端面３４６において３個の照射用開口部３４２を有する部分を取り出して示してある。
図４に示すように、照射用開口部３４２の内側（図４において上側）には、ＬＥＤ光源３２からの光を所定の方向および範囲に反射するために、略円錐台形状の反射面３４３が設けられている。
【００２４】
図４および図５（Ａ）に示すように、隣接する反射面３４３の先端である照射用開口部３４２が互いに重なるため、反射面３４３の重なり部には陵部３４４が形成される。反射面３４３が略円錐台形状をしているため、陵部３４４は、略円弧状（図４および図５（Ｂ）参照）に形成される。
【００２５】
このとき、図５（Ｃ）に示すように、陵部３４４を、照射方向前方に対面する（すなわち、照射方向に直交する）平面で、射出成形時に欠けることのない幅Ｗ１を有する円弧面３４５で形成する。
従って、陵部３４４の照射方向先端は円弧面３４５によって平面状に形成されており、正面から見ると、一定幅Ｗ１の直線状（図５（Ａ）参照）となる。
【００２６】
陵部３４４を構成する円弧面３４５は、最もＬＥＤ光源３２に近い最底部３４５Ａ（図４参照）は、反射部材３４の先端面３４６に対してＬＥＤ光源３２側（図５（Ｂ）において上側）に凹状となる。
あるいは、反射部材３４の先端面３４６が、円弧面３４５（陵部３４４）の最底部３４５Ａよりも照射方向前方に突出しているということができる。
【００２７】
これにより、図５（Ｂ）に示すように、隣接する反射面３４３の距離Ｌ１が同じであっても、反射面３４３の高さＨ１および照射用開口部３４２の直径Ｄ１（図５（Ａ）参照）を大きく取ることができる。これに伴い、反射面３４３によって制御可能な角度φ１を大きくすることができるので、制御光を増加させることができる。
【００２８】
以上、説明した本発明に係る実施形態の照明器具１０によれば、ＬＥＤ光源３２から発せられた光は、照射方向前方に設けられている反射部材３４の反射面３４３により、所定の方向へ照射される。隣接する反射面３４３の照射方向先端部は互いに重なるように設けられており、重なり部である陵部３４４に、照射方向前方に対面する円弧面３４５を設けた。
このため、反射部材３４の射出成形時に、陵部３４４が欠けるのを防止できるとともに、反射面３４３の高さＨ１および照射用開口部３４２の直径Ｄ１を大きく取ることができ、反射面３４３によって制御可能な制御光を増加できる。
また、円弧面３４５の最底部３４５Ａが、反射部材３４の先端面３４６に対してＬＥＤ光源３２側に凹状となっているので、円弧面３４５を幅広で設けることができる。
【００２９】
また、反射部材３４の先端面３４６が、円弧面３４５の最底部３４５Ａよりも照射方向前方に突出しているので、円弧面３４５を幅広で設けることができる。
【００３０】
さらに、陵部３４４の円弧面３４５の幅Ｗ１が、射出成形可能な幅であるので、陵部３４４が欠けることなく、反射部材３４を射出成形によりで容易に形成することができる。
【００３１】
なお、本発明の照明器具は、前述した実施形態に限定されるものでなく、適宜な変形，改良等が可能である。
例えば、前述した実施形態においては、隣接する３個の反射面３４３が互いに重なる場合について例示したが、本発明は３個以上の反射面３４３を有する場合についても適用可能である。すなわち、図２に示したように、互いに隣接する反射面３４３同士が、連鎖的に重なる場合にも適用可能である。
【符号の説明】
【００３２】
１０  照明器具
３２  ＬＥＤ光源
３４  反射部材
３４３  反射面
３４４  陵部（重なり部）
３４５  円弧面
３４５Ａ  最底部
３４６  先端面
Ｗ１  円弧面の幅
【図１】
2013062177.tif 000003
【図２】
2013062177.tif 000004
【図３】
2013062177.tif 000005
【図４】
2013062177.tif 000006
【図５】
2013062177.tif 000007
【図６】
2013062177.tif 000008
【図７】
2013062177.tif 000009